(57)【要約】      （修正有）【課題】構造が簡単で装着時の不快感や金属アレルギーのおそれがないイヤリングを提供する。【解決手段】イヤリング１であって、一端が、イヤリング本体２の一端から延出した支柱４と一体的に形成された回動軸８を介して設けられ、他端に円盤状の樹脂からなる耳当て部６が設けられた可動部３と、一端が、可動部３に設けられ、他端が回動軸８を可動部３に押しつけることで開閉角度を保持するように付勢するバネ部材と、イヤリング本体２の他端に設けられ円盤状の耳当て部６とともに耳たぶを挟む樹脂からなる球状部材９と、を備えた。【選択図】図１
0003182679.tif 000002
【実用新案登録請求の範囲】
【請求項１】
環状のイヤリング本体の一部を開閉自在に形成したイヤリングであって、
一端が、前記イヤリング本体の一端から延出した支柱と一体的に形成された回動軸を介して設けられ、他端に円盤状の樹脂からなる耳当て部が設けられた可動部と、
一端が、前記可動部に設けられ、他端が前記回動軸を前記可動部に押しつけることで開閉角度を保持するように付勢するバネ部材と、
前記イヤリング本体の他端に設けられ前記円盤状の耳当て部とともに耳たぶを挟む樹脂からなる球状部材と、
を備えたことを特徴とするイヤリング。
【請求項２】
前記円盤状の耳当て部は、前記可動部の他端に設けられた環状部材と、前記環状部材に設けられた円盤状の軟性樹脂と、を有し、前記球状部材は、前記イヤリング本体の他端に被せるための凹部が形成された樹脂とを有することを特徴とする請求項１記載のイヤリング。
【請求項３】
前記軟性樹脂は、シリコーンであり、前記樹脂は、ポリカーボネートであることを特徴とする請求項２記載のイヤリング。
【考案の詳細な説明】
【技術分野】
【０００１】
本考案は、イヤリングに関する。
【背景技術】
【０００２】
イヤリングの一種にスプリングの復元力を利用して耳たぶに保持させるようにしたものがある（例えば、特許文献１参照）。
【先行技術文献】
【特許文献】
【０００３】
【特許文献１】特開平９−１７３１１２号公報
【０００４】
特許文献１に記載の発明は、イヤリングに関するものであり、具体的には、イヤリング本体を構成する一対の部材Ａ、Ｂと、部材Ａの一端を二股の軸受部とし、部材Ｂの一端を二股の軸受部内に嵌め込まれる回転部とし、両者を軸を介して他端の開放端部が突き合される方向に開閉自在に軸着し、二股の軸受部の内側に前端を解放し、後端を固着した板バネ材が部材Ａの内周側の溝内に備えられ、回転軸をもって前記一対の部材Ａ、Ｂが開かれた際に、板バネが回転部先端の立面を押えて開かれた状態を維持し、一対の部材Ａ、Ｂが閉じられた際には板バネによって回転部の内側先端に設けられた突部を押えて閉じた状態を維持したものである。
【考案の概要】
【考案が解決しようとする課題】
【０００５】
しかしながら、特許文献１に記載の発明は、イヤリングを耳たぶに装着すると常に押圧力が加わり、ユーザーによっては不快に感じる場合があった。また、可動部が２箇所もあり、その分構造が複雑になりコストに反映されていた。さらに、特許文献１に記載の発明は、挟圧部２、３の素材についての記述が無く、金属の場合には金属アレルギーのおそれがある。
【０００６】
本考案は、上記課題に鑑みてなされたもので、構造が簡単で装着時の不快感や金属アレルギーのおそれがないイヤリングの提供を目的とする。
【課題を解決するための手段】
【０００７】
かかる目的を達成するために、本考案にかかるイヤリングは、環状のイヤリング本体の一部を開閉自在に形成したイヤリングであって、一端が、前記イヤリング本体の一端から延出した支柱と一体的に形成された回動軸を介して設けられ、他端に円盤状の樹脂からなる耳当て部が設けられた可動部と、一端が、前記可動部に設けられ、他端が前記回動軸を前記可動部に押しつけることで開閉角度を保持するように付勢するバネ部材と、前記イヤリング本体の他端に設けられ前記円盤状の耳当て部とともに耳たぶを挟む樹脂からなる球状部材と、を備えたことを特徴とすることを特徴とする。
【考案の効果】
【０００８】
本考案によれば、構造が簡単で装着時の不快感や金属アレルギーのおそれがないイヤリングの提供を実現できる。
【図面の簡単な説明】
【０００９】
【図１】（ａ）は、本考案の実施形態に係るイヤリングが開いた状態を示す外観斜視図であり、（ｂ）は、（ａ）に示したイヤリングが閉じた状態を示す外観斜視図である。
【図２】（ａ）は、図１（ａ）に示したイヤリングの可動部の拡大平面図であり、（ｂ）は、図１（ａ）のIIｂ−IIｂ線断面図であり、（ｃ）は、図１（ｂ）のIIｃ−IIｃ線断面図である。
【図３】図１（ａ）、（ｂ）に示したイヤリングを装着した状態を示す図である。
【考案を実施するための形態】
【００１０】
図１（ａ）は、本考案の実施形態に係るイヤリングが開いた状態を示す外観斜視図であり、図１（ｂ）は、図１（ａ）に示したイヤリングが閉じた状態を示す外観斜視図である。図２（ａ）は、図１（ａ）に示したイヤリングの可動部の拡大平面図であり、図２（ｂ）は、図１（ａ）のIIｂ−IIｂ線断面図であり、図２（ｃ）は、図１（ｂ）のIIｃ−IIｃ線断面図である。図３は、図１（ａ）、（ｂ）に示したイヤリングを装着した状態を示す図である。
【００１１】
＜構  成＞
本実施形態のイヤリング１は、環状のイヤリング本体２の一部を開閉自在に形成したイヤリングであり、イヤリング本体２と、可動部３と、を有する。
イヤリング本体部２は、直径が１５ｍｍ〜２０ｍｍ程度のほぼ３／４周分の長さの円弧状の金属製の中空管もしくは中実管である。
イヤリング本体２の一端（図１（ａ）では右端）には、イヤリング本体２の一端から延出するように支柱４が固定されており、他端（図１（ａ）では左端）は球状部材９が設けられている。球状部材９にはイヤリング本体２の他端に被せるための凹部が形成されている。
支柱４の先端には回動軸８が支柱４と直交するように固定されている。支柱４及び回動軸８の固定は、例えば蝋付けもしくはカシメのいずれかの手段により行われる。回動軸８は可動部３の両側面に形成された貫通孔７を貫通しており、可動部３が回動自在となっている。
可動部３は、金属からなり、貫通孔７から離れるに伴い細く、かつ湾曲している。可動部３の先端には先端から基部に向かうバネ部材としての板バネ１０が固定されている。板バネ１０は可動部３内で回動軸８を押さえるように矢印Ｆ方向に付勢している。この板バネ１０により、可動部３はイヤリング本体２に対して任意の開閉度を保持できるようになっている。可動部３の先端には環状部５が直交するように固定され、金属からなる環状部材５には円盤状の耳当て部６が設けられている。耳当て部６の一方の面（図２（ｂ）では左側の面）には凹部が形成されている。これは、イヤリング１が閉じたときに球状部材９を受けるためである。
【００１２】
耳当て部６には軟性樹脂、例えばシリコーンが用いられ、球状部材９には樹脂、例えばポリカーボネートが用いられる。金属としては、例えば、金、真鍮、チタン、合金等装飾用の金属が挙げられる。
【００１３】
＜作  用＞
本実施形態のイヤリング１は、可動部２が開閉自在であり、イヤリング本体２に対する可動部２の開き具合を保持できるようになっている。
このため、図３に示すようにイヤリング１の本体部２の球状部材９と、可動部３の耳当て部６とで耳たぶを挟むと、耳たぶを挟んだ角度が保持され、落下することはない。球状部材９と耳当て部６とは耳たぶを挟む力が働くのではなく、摩擦力により耳たぶにぶら下がった状態となる。このため、耳たぶを挟み続ける力による不快感は無い。
また、イヤリング１は、可動部が一箇所のみの簡単な構造を有している。
さらに、耳当て部６及び球状部材９には樹脂が用いられているので、ユーザーに対する金属アレルギーのおそれがない。
【００１４】
以上において、本実施形態によれば、構造が簡単で装着時の不快感や金属アレルギーのおそれがないイヤリングの提供を実現できる。
【００１５】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００１６】
１    イヤリング
２    イヤリング本体
３    可動部
４    支柱
５    環状部材
６    耳当て部
７    貫通孔
８    回動軸
９    球状部材
１０  バネ部材
【図１】
0003182679.tif 000003
【図２】
0003182679.tif 000004
【図３】
0003182679.tif 000005